(57)【要約】【課題】本発明は、放電部の放電により発生し、加熱体の周辺に滞留するオゾン及び化学汚染物質を、加熱体の周辺で吸着し易い定着装置の提供を目的とする。【解決手段】定着装置６０は、軸周りに回転しながら、トナー像が形成された媒体Ｓに接触して、媒体Ｓを加熱する加熱体６１と、加熱体６１が媒体Ｓを加熱するための熱を加熱体６１に付与する熱源６３と、加熱体６１とでニップＮを形成し、軸周りに回転して、加熱体６１とで媒体Ｓを加圧する加圧体６２と、加熱体６１の外周に対向して配置され、オゾンを放電して加熱体６１を除電する放電部７０と、加熱体６１の外周における放電部７０が対向する位置と異なる位置に対向して配置され、オゾン及び化学汚染物質を吸着する吸着部８０と、を備えている。【選択図】図３
2018049078.tif 000002
【特許請求の範囲】
【請求項１】
軸周りに回転しながら、トナー像が形成された媒体に接触して、前記媒体を加熱する加熱体と、
前記加熱体が前記媒体を加熱するための熱を前記加熱体に付与する熱源と、
前記加熱体とでニップを形成し、軸周りに回転して、前記加熱体とで前記媒体を加圧する加圧体と、
前記加熱体の外周に対向して配置され、オゾンを放電して前記加熱体を除電する放電部と、
前記加熱体の外周における前記放電部が対向する位置と異なる位置に対向して配置され、オゾン及び化学汚染物質を吸着する吸着部と、
を備えた定着装置。
【請求項２】
前記吸着部は、その外周の最高温度が定められた温度以下の温度となるように、軸周りに回転する、
請求項１に記載の定着装置。
【請求項３】
前記吸着部を冷却する冷却部、
を備えた請求項１又は２に記載の定着装置。
【請求項４】
媒体にトナー像を形成する形成部と、
請求項１〜３の何れか１項に記載の定着装置と、
を備えた画像形成装置。
【発明の詳細な説明】
【技術分野】
【０００１】
本発明は、定着装置及び画像形成装置に関する。
【背景技術】
【０００２】
例えば、定着ベルト（加熱ベルト）と、定着ベルトを押圧する押圧ローラーとを備え、トナー像が形成された状態で搬送される媒体に、定着ベルトと押圧ローラーとで、トナー像を定着させる定着装置が知られている（特許文献１参照）。
【０００３】
上記定着装置では、定着動作において、定着ベルトにトナー像が形成された状態の媒体が接触して、定着ベルトが帯電する（静電気が溜まる）場合がある。そこで、定着ベルトに溜まった静電気を除去（オフセット）させるために、定着ベルトに対向する位置に放電部を配置して、放電により静電気を除去する定着装置が知られている。
【先行技術文献】
【特許文献】
【０００４】
【特許文献１】特開２０１５−２２１９０号公報
【発明の概要】
【発明が解決しようとする課題】
【０００５】
しかしながら、上記放電部を備えた定着装置の場合、放電部の放電により発生したオゾンの一部が定着ベルトの周辺に滞留し、定着ベルトの周辺に化学汚染物質が発生する。その結果、定着装置で発生したオゾン及び化学汚染物質が画像形成装置内に拡散し、画像形成装置外に排出されてしまう。
【０００６】
本発明は、放電部の放電により発生し、加熱体の周辺に滞留するオゾン及び化学汚染物質を、加熱体の周辺で吸着し易い定着装置の提供を目的とする。
【課題を解決するための手段】
【０００７】
本発明の第１の定着装置は、軸周りに回転しながら、トナー像が形成された媒体に接触して、前記媒体を加熱する加熱体と、前記加熱体が前記媒体を加熱するための熱を前記加熱体に付与する熱源と、前記加熱体とでニップを形成し、軸周りに回転して、前記加熱体とで前記媒体を加圧する加圧体と、前記加熱体の外周に対向して配置され、オゾンを放電して前記加熱体を除電する放電部と、前記加熱体の外周における前記放電部が対向する位置と異なる位置に対向して配置され、オゾン及び化学汚染物質を吸着する吸着部と、を備えている。
【０００８】
本発明の第２の定着装置は、前記第１の定着装置であって、前記吸着部は、その外周の最高温度が定められた温度以下の温度となるように、軸周りに回転する。
【０００９】
本発明の第３の定着装置は、前記第１又は前記第２の定着装置であって、前記吸着部を冷却する冷却部を備えている。
【００１０】
本発明の画像形成装置は、媒体にトナー像を形成する形成部と、前記第１〜前記第３の何れか１つの定着装置と、を備えている。
【発明の効果】
【００１１】
本発明の定着装置は、放電部の放電により発生し、加熱体の周辺に滞留するオゾン及び化学汚染物質を、加熱体の周辺で吸着し易い。
【図面の簡単な説明】
【００１２】
【図１】本発明を実施するための形態（以下、本実施形態という。）の画像形成装置の斜視図である。
【図２】本実施形態の画像形成装置を正面側から見た概略図である。
【図３】本実施形態の画像形成装置を構成する定着装置を正面側から見た概略図である。
【図４】本実施形態の定着装置の吸着ローラーの吸着シートの温度と、単位時間当たりのＵＦＰの脱離数との関係についての評価結果を示すグラフである。
【図５】変形例（第１変形例）の定着装置を正面側から見た概略図である。
【図６】変形例（第２変形例）の定着装置を正面側から見た概略図である。
【図７】変形例（第３変形例）の定着装置を正面側から見た概略図である。
【図８】変形例（第４変形例）の定着装置を正面側から見た概略図である。
【発明を実施するための形態】
【００１３】
≪概要≫
以下、本実施形態の画像形成装置１０（図１及び図２参照）の全体構成及び画像形成装置１０による画像形成動作、本実施形態の要部である定着装置６０（図３参照）の構成及び定着装置６０による吸着動作並びに本実施形態の効果について、図面を参照しつつこれらの記載順で説明する。
【００１４】
以下の説明では、図中における矢印Ｆｒ及び矢印Ｒｒで示す方向をそれぞれ装置奥行き方向手前側及び奥側、矢印Ｒ及び矢印Ｌで示す方向をそれぞれ装置幅方向右側及び左側、矢印Ｕ及び矢印Ｌｏで示す方向をそれぞれ装置高さ方向上側及び下側とする。また、本明細書では、画像形成装置１０を装置奥行き方向手前側から見た状態を画像形成装置１０の正面として説明する。
【００１５】
≪画像形成装置の全体構成≫
画像形成装置１０の全体構成については、図１及び図２を参照しつつ説明する。画像形成装置１０は、本体２０と、給紙カセット３０と、搬送装置４０と、トナー像形成部５０（形成部の一例）と、定着装置６０と、制御部ＣＵとを含んで構成される電子写真方式の装置とされている。
【００１６】
本体２０は、その内部に給紙カセット３０と、搬送装置４０と、トナー像形成部５０と、定着装置６０と、制御部ＣＵとを収容する機能を有する。本体２０は、箱状の外装とされている。本体２０の上面には、トナー像が定着された（画像が形成された）媒体Ｓが排出される排出トレイ２２とされている。なお、正面側から見た本体２０の左端面には蓋２４が設けられており、本体２０には、蓋２４が倒れた状態で（図１参照）、後述する定着装置６０が着脱可能とされている。
【００１７】
給紙カセット３０は、（後の工程で）画像が形成される媒体Ｓを重ねて収容する機能を有する。給紙カセット３０は、本体２０の下側に配置されている。
【００１８】
搬送装置４０は、給紙カセット３０に収容されていた媒体Ｓを、給紙カセット３０から排出トレイ２２まで搬送経路Ｐに沿って搬送する機能を有する。搬送装置４０は、複数のローラー（従動ローラー及び駆動ローラー）と、駆動ローラーを駆動する駆動源（図示省略）とを備えている。ここで、図中の矢印Ｙの指す方向は、媒体Ｓの搬送方向とされている。
【００１９】
トナー像形成部５０は、搬送装置４０により搬送される媒体Ｓに画像を形成する機能を有する。トナー像形成部５０は、正面側から見て本体２０内の中央に配置されている。トナー像形成部５０は、感光体５１と、帯電装置５２と、露光装置５３と、現像装置５４と、転写ローラー５５とを含んで構成されている。
【００２０】
トナー像形成部５０は、帯電装置５２により軸周りに回転する感光体５１を帯電し、露光装置５３により感光体５１を露光して潜像を形成し、現像装置５４により潜像をトナー像として現像し、転写ローラー５５により媒体Ｓにトナー像を転写するようになっている。以上のようにして、トナー像形成部５０は、媒体Ｓにトナー像を形成するようになっている。
【００２１】
定着装置６０は、トナー像形成部５０によりトナー像が転写された媒体Ｓ（トナー像が形成された媒体）にトナー像を定着する機能を有する。定着装置６０は、正面側から見て本体２０内の左側（媒体Ｓの搬送経路Ｐにおけるトナー像形成部５０よりも媒体Ｓの搬送方向下流側）に配置されている。定着装置６０は本実施形態の要部であることから、定着装置６０の具体的な構成については後述する。
【００２２】
制御部ＣＵは、外部装置（図示省略）から画像データを受け取り、当該画像データに基づいて画像形成装置１０を構成する各要素を制御する機能を有する。制御部ＣＵの具体的な機能については、後述する画像形成動作及び供給動作の説明の中で説明する。
【００２３】
≪画像形成動作≫
次に、本実施形態の画像形成装置１０による画像形成動作について図２を参照しながら説明する。
【００２４】
まず、外部装置（図示省略）から画像データを受け取った制御部ＣＵは、トナー像形成部５０を作動させる。そして、帯電装置５２が感光体５１を帯電し、露光装置５３が感光体５１を露光して潜像を形成し、現像装置５４が潜像をトナー像として現像することで、感光体５１にトナー像が形成される。
【００２５】
また、制御部ＣＵは、搬送装置４０を作動させて、感光体５１に形成されたトナー像が感光体５１の軸周りの回転により転写位置（感光体５１と転写ローラー５５とが接触する部分）に到達するタイミングに合わせて、媒体Ｓを転写位置に送り込む。そして、転写ローラー５５が感光体５１に形成されたトナー像を媒体Ｓに転写させて、媒体Ｓにトナー像が形成される。
【００２６】
次いで、制御部ＣＵは、定着装置６０を作動させて、転写ローラー５５により媒体Ｓに転写されたトナー像を媒体Ｓに定着させる。そして、トナー像が定着された媒体Ｓ、すなわち、画像が形成された媒体Ｓは、搬送装置４０により更に搬送方向下流側に搬送され、本体２０の排出トレイ２２に排出されて、画像形成動作が終了する。
【００２７】
≪要部（定着装置）の構成≫
次に、本実施形態の要部である定着装置６０の構成について図２及び図３（主に図３）を参照しながら詳しく説明する。
【００２８】
定着装置６０は、加熱ベルト６１（加熱体の一例）と、加圧ローラー６２（加圧体の一例）と、熱源６３と、押付部６４と、支持部材６５と、温度センサー６６と、放電部７０と、吸着部８０と、ハウジングＨＧと、一対の側板（図示省略）とを含んで構成されている。加熱ベルト６１、加圧ローラー６２、熱源６３、押付部６４、放電部７０及び吸着部８０は、それぞれ長尺とされており、互いにそれらの長手方向を（装置奥行き方向に）沿わせた状態で、一対の側板に位置決めされている。そして、定着装置６０は、長尺とされており、その長手方向を装置奥行き方向に沿わせた状態で、画像形成装置１０の本体２０に取り付けられている（図１参照）。なお、定着装置６０を構成するハウジングＨＧ以外の構成要素は、ハウジングＨＧ内に収容されている。
【００２９】
＜加熱ベルト＞
加熱ベルト６１は、トナー像形成部５０により媒体Ｓに形成されたトナー像（を構成するトナー）及び媒体Ｓを加熱する機能を有する。加熱ベルト６１は、一例として金属製の無端ベルトとされている。加熱ベルト６１は、後述する熱源６３により加熱されながら、後述する加圧ローラー６２に従動して回転されるようになっている。ここで、図３における符号Ａは加熱ベルト６１の軸（回転中心）を示しており、矢印Ｃは加熱ベルト６１の回転方向（周回方向）を示している。そして、加熱ベルト６１は、搬送装置４０により搬送されるトナー像が形成された媒体Ｓを、後述するニップＮにおいて加圧ローラー６２とで加圧するようになっている。その結果、加熱ベルト６１は、軸周りに回転しながらトナー像が形成された媒体Ｓに接触して媒体Ｓを加熱し、加圧ローラー６２とでニップＮを通過する媒体Ｓにトナー像を定着させるようになっている。
【００３０】
加熱ベルト６１の両端の部分にはフランジ（図示省略）が嵌め込まれており、加熱ベルト６１は各フランジに接着されて固定されている。そして、各フランジは、一対の側板に回転可能に支持されている。
【００３１】
＜加圧ローラー＞
加圧ローラー６２は、トナー像形成部５０により媒体Ｓに形成されたトナー像（を構成するトナー）及び媒体Ｓを、加熱ベルト６１とともに加圧する機能を有する。加圧ローラー６２は、長尺のシャフトと、当該シャフトの外周を覆う被覆層（一例としてシリコンゴム製）とを含んで構成されたローラーとされている。加圧ローラー６２は、装置奥行き方向から見て、加熱ベルト６１の下側に配置されている。また、加圧ローラー６２の上側の部分には、加圧ローラー６２の外周に沿って凹んだ状態の加熱ベルト６１の下側の部分が接触している。そして、前述のニップＮとは、加圧ローラー６２と加熱ベルト６１とにより形成される、加圧ローラー６２と加熱ベルト６１との接触部分を意味する。
【００３２】
加圧ローラー６２のシャフトの一端には、駆動源（図示省略）が連結されている。そして、加圧ローラー６２は、駆動源により駆動され、軸周りに回転して、加熱ベルト６１を周回させるようになっている。ここで、図３における矢印Ｂは、加圧ローラー６２の回転方向を示している。
【００３３】
＜熱源＞
熱源６３は、加熱ベルト６１が媒体Ｓを加熱するための熱を付与する機能を有する。熱源６３は、一例として、誘導コイル６３Ａと、交流電源６３Ｂとを含んで構成されている。誘導コイル６３Ａは、加熱ベルト６１の上側で加熱ベルト６１の外周に対向して配置され、装置奥行き方向正面側から見て、円弧状とされている。そして、誘導コイル６３Ａは、交流電源６３Ｂから交流電圧が印加されると、加熱ベルト６１を電磁誘導により加熱するようになっている。
【００３４】
＜押付部＞
押付部６４は、加熱ベルト６１におけるニップＮを形成する部分を加圧ローラー６２に押付ける機能を有する。押付部６４は、装置奥行き方向から見ると、加熱ベルト６１の内側であって、軸Ｏよりも下側に配置されている。押付部６４は、押付部材６４Ａと、シート部材６４Ｂとを含んで構成されている。押付部材６４Ａは、装置奥行き方向から見えると、下側が湾曲状に凹んでいている。また、押付部材６４Ａにおける湾曲状に凹んでいる部分は、シート部材６４Ｂに覆われている。なお、シート部材６４Ｂは、シート部材６４Ｂが押付部材６４Ａと加熱ベルト６１に挟まれて配置されることで、押付部材６４Ａを加熱ベルト６１に接触させる場合に比べて、押付けによる負荷を低減させるようになっている。すなわち、シート部材６４Ｂは、押付部材６４Ａよりも摩擦係数が小さい。
【００３５】
＜支持部材＞
支持部材６５は、長尺とされている。支持部材６５は、一対の長尺のＬ字状の板金を互い違いに対向させて、横断面が矩形状となるように構成されている。支持部材６５は、装置奥行き方向から見て、押付部材６４Ａ（押付部６４）の上側に配置されている。そして、支持部材６５は、押付部材６４Ａを一例としてねじ止めして支持している。
【００３６】
＜温度センサー＞
温度センサー６６は、加熱ベルト６１の温度を検知する機能を有する。温度センサー６６は、加熱ベルト６１の内側であって、定着装置６０を正面側から見て、支持部材６５の左側に配置されている。また、温度センサー６６は、加熱ベルト６１の内周に接触している。なお、温度センサー６６に検知された温度（温度に関するデータ）は、定められた周期（一例として０．５秒）で制御部ＣＵに送信されるようになっている。
【００３７】
＜放電部＞
放電部７０は、イオン（オゾンを含む）を放電して加熱ベルト６１を除電する機能を有する。放電部７０は、一例として、装置奥行き方向に沿って並ぶ針電極の集合体とされている。放電部７０は、各針電極の先端が加熱ベルト６１の外周に向いた状態で、加熱ベルト６１の外周に対向している。放電部７０は、加熱ベルト６１における、ニップＮよりも加熱ベルト６１の回転方向の下流側かつ熱源６３が対向する位置よりも加熱ベルト６１の回転方向の上流側の部分に配置されている。
【００３８】
そして、放電部７０は、定着動作時において、電源（図示省略）から前記針電極の集合体に定められた電圧が印加されて放電し、加熱ベルト６１に溜まった静電気を除去（徐電）するようになっている。なお、加熱ベルト６１に溜まる静電気の原因は、定着装置６０に搬送された媒体Ｓ及び当該媒体Ｓ上のトナーが有していた静電気がニップＮにおいて加熱ベルト６１に受け渡される等による。
【００３９】
＜吸着部＞
吸着部８０は、加熱ベルト６１の周辺に滞留するオゾンや化学汚染物質を吸着する機能を有する。また、吸着部８０は、加熱ベルト６１の周辺に滞留する化学汚染物質を吸着する機能を有する。ここで、本明細書における化学汚染物質とは、一例として、ＶＯＣ（Volatile  Organic  Compounds、すなわち、揮発性有機化合物）、ＵＦＰ（Ultrafine  Particle、すなわち、超微粒子)等の物質を意味する。また、本明細書における加熱ベルト６１の周辺とは、一例として、加熱ベルト６１の外周から、加熱ベルト６１と誘導コイル６３Ａとの対向間隔分離れた部分を意味する。
【００４０】
吸着部８０は、パイプ８２と、吸着シート８４とを含んで構成されている。吸着シート８４は、パイプ８２の周方向全周に亘って貼付されている。吸着シート８４は、一例として、活性炭を含んだシート材とされている。
【００４１】
吸着部８０は、加熱ベルト６１の外周に対向して配置されている。吸着部８０は、加熱ベルト６１における、熱源６３が対向する位置よりも加熱ベルト６１の回転方向の下流側かつニップＮよりも加熱ベルト６１の回転方向の上流側に配置されている。すなわち、吸着部８０は、加熱ベルト６１の外周における、放電部７０が対向する位置と異なる位置に対向して配置されている。
【００４２】
そして、吸着部８０は、定着動作時において、駆動源（図示省略）により駆動されて、定められた回転速度で軸周りに回転するようになっている。なお、図３における矢印Ｄは、吸着部８０の回転方向を示している。また、吸着部８０は、定められた回転速度で軸周りに回転すると、その外周（すなわち、パイプ８２の外周に貼付されている吸着シート８４）の最高温度が一例として１００℃（定められた温度の一例）以下の温度となるように設定されている。別言すれば、吸着部８０は、その外周の最高温度が１００℃以下の温度となるように（１００℃を超えないように）、軸周りに回転するように設定されている。
【００４３】
≪定着装置による吸着動作≫
次に、定着装置６０を用いた吸着動作について図３を参照しながら説明する。なお、定着装置６０による吸着動作は、前述の画像形成装置１０による画像形成動作（における定着装置６０による定着動作）の中で行われる。
【００４４】
外部装置（図示省略）から画像データを受け取った制御部ＣＵは、定着装置６０にリモート信号を送る。その結果、制御部ＣＵは、加圧ローラー６２の駆動源（図示省略）を駆動させて加圧ローラー６２を軸周りに定められた回転速度で回転させる。これに伴い、加熱ベルト６１が加圧ローラー６２に従動されて定められた周回速度で周回する。また、制御部ＣＵは、熱源６３の交流電源６３Ｂにより誘導コイル６３Ａに交流電圧を印加させる。その結果、周回する加熱ベルト６１は、誘導コイル６３Ａの電磁誘導により加熱される。また、制御部ＣＵは、吸着部８０の駆動源（図示省略）により吸着部８０を定められた回転速度で軸周りに回転させる。なお、制御部ＣＵが温度センサー６６により検知されて温度センサー６６から送信される温度に関するデータに基づいて交流電源６３Ｂの交流電圧を変更することにより、加熱ベルト６１の温度は、定められた温度となるように、調整される。
【００４５】
また、一例としてトナー像形成部５０によりトナー像が形成された媒体Ｓが搬送装置４０により定着装置６０のニップＮに到着するタイミングに合わせて、制御部ＣＵは、放電部７０を作動させる。その結果、放電部７０の放電により発生したオゾンの一部は、加熱ベルト６１を除電させる。これに対して、放電部７０の放電により発生したイオンの残りの一部（一例として、加熱ベルト６１の除電に用いられなかったイオン）は、加熱ベルト６１の周回に伴い加熱ベルト６１の周回方向に移動されながら、加熱ベルト６１の周辺に滞留する。加熱ベルト６１の周回に伴い移動して吸着部８０に接触したオゾンは、吸着部８０に吸着する。また、加熱ベルト６１の周辺に滞留するオゾンに反応して発生した化学汚染物質は、吸着部８０に接触して、吸着部８０に吸着する。そして、制御部ＣＵは、定着動作の終了に伴い、放電部７０による放電、吸着部８０の軸周りの回転を含む各構成要素の動作を停止させて、定着装置６０による吸着動作が終了する。
【００４６】
≪効果≫
次に、本実施形態の効果について図面を参照しながら説明する。
【００４７】
＜弟１の効果＞
例えば、吸着部８０を備えていない形態の場合、加熱ベルト６１の周辺に滞留するオゾン及び化学汚染物質は、定着装置６０内（ハウジングＨＧ内）で吸着されずに、定着装置６０外に移動し、画像形成装置１０内に拡散する。これに伴い、画像形成装置１０内に拡散したオゾン及び化学汚染物質は、画像形成装置１０外に排出される。
【００４８】
これに対して、本実施形態の定着装置６０は、ハウジングＨＧ内に吸着部８０を備えている。そのため、ハウジングＨＧ内のオゾン及び化学汚染物質の一部は、吸着部８０に吸着する。
【００４９】
したがって、本実施形態の定着装置６０は、吸着部８０を備えていない定着装置に比べて、放電部７０の放電により発生し、加熱ベルト６１の周辺に滞留するオゾン及び化学汚染物質を、加熱ベルト６１の周辺で吸着し易い。別言すれば、本実施形態の定着装置６０は、吸着部８０を備えていない定着装置に比べて、定着装置６０外にオゾン及び化学汚染物質を排出し難い。これに伴い、本実施形態の画像形成装置１０は、定着装置が吸着部８０を備えていない画像形成装置に比べて、画像形成装置１０外にオゾン及び化学汚染物質を排出し難い。
【００５０】
＜弟２の効果＞
図４のグラフに示されるように、吸着シート８４は、その温度が高いほど、ＵＰＦを脱離し易い。
【００５１】
例えば、吸着部８０を軸周りに回転させない形態の場合、定着動作時における吸着部８０の外周（吸着シート８４）の最高温度が１４０℃となる。そのため、吸着部８０を軸周りに回転させない形態の場合、単位時間（１秒）当たり約６×１０１１個のＵＰＦが吸着部８０から脱離し得る。
【００５２】
これに対して、本実施形態の定着装置６０は、吸着部８０の外周の最高温度が定められた温度（一例として１００℃）以下の温度となるように、軸周りに回転する。別の見方をすれば、本実施形態の定着装置６０は、定められた回転速度で軸周りに回転することにより、吸着部８０の外周の最高温度が定められた温度（一例として１００℃）以下の温度を維持するように設定されている。そのため、本実施形態の場合、吸着部８０を軸周りに回転させない形態の場合に比べて、単位時間（１秒）当たりのＵＰＦの脱離数が約１／６とされている。
【００５３】
したがって、本実施形態の定着装置６０は、吸着部８０を軸周りに回転させない定着装置に比べて、定着装置６０外に化学汚染物質を排出し難い。これに伴い、本実施形態の画像形成装置１０は、定着装置が吸着部８０を軸周りに回転させない画像形成装置に比べて、画像形成装置１０外に化学汚染物質を排出し難い。
【００５４】
以上のとおり、本発明について本実施形態を例として説明したが、本発明の技術的範囲は本実施形態に限定されるものではない。例えば、本発明の技術的範囲には、下記のような形態も含まれる。
【００５５】
例えば、本実施形態の定着装置６０では、加熱ベルト６１が誘導コイル６３Ａを備えている熱源６３により電磁誘導されて加熱されるとして説明した。加熱ベルト６１に対し媒体Ｓにトナー像を定着させるための熱を付与することができれば、別の加熱方式であってもよい。例えば、図５の変形例のように、加熱ベルト６１内に配置されているハロゲンランプ６３Ｃを熱源としてもよい。
【００５６】
また、本実施形態の定着装置６０では、吸着部８０が、加熱ベルト６１における、熱源６３が対向する位置よりも加熱ベルト６１の回転方向の下流側かつニップＮよりも加熱ベルト６１の回転方向の上流側に配置されているとして説明した。しかしながら、吸着部８０がハウジングＨＧ内（好ましくは加熱ベルト６１の外周に対向する位置）に配置されていれば、吸着部８０の位置は本実施形態の場合と異なっていてもよい。例えば、図６の変形例のように、吸着部８０が、加熱ベルト６１における、熱源６３が対向する位置よりも加熱ベルト６１の回転方向の上流側かつ放電部７０の針電極が対向する位置よりも加熱ベルト６１の回転方向の下流側で、加熱ベルト６１に対向していてもよい。
【００５７】
また、吸着部８０を冷却するようにしてもよい。例えば、図７の変形例のように、吸着部８０のパイプ８２内に冷却水を流す冷却パイプ８６（冷却部の一例）を備えるようにして、定着動作時（吸着動作時）に、吸着部８０を冷却するようにしてもよい。これにより、吸着シート８４がＵＰＦを脱離させ難くなる点で有効である。
【００５８】
また、図７の変形例と異なる方法により、吸着部８０を冷却するようにしてもよい。例えば、図８の変形例のように、吸着部８０の外周に空気流を当てる冷却ファン８８（冷却部の他の一例）を備えるようにして、定着動作時（吸着動作時）に、吸着部８０を冷却するようにしてもよい。これにより、吸着シート８４がオゾン及び化学汚染物質を脱離させ難くなる点で有効である。
【符号の説明】
【００５９】
１０   画像形成装置
５０   トナー像形成部（形成部の一例）
６０   定着装置
６１   加熱ベルト（加熱体の一例）
６２   加圧ローラー（加圧体の一例）
６３   熱源
７０   放電部
８０   吸着部
８６   冷却パイプ（冷却部の一例）
Ｎ     ニップ
Ｓ     媒体
【図１】
2018049078.tif 000003
【図２】
2018049078.tif 000004
【図３】
2018049078.tif 000005
【図４】
2018049078.tif 000006
【図５】
2018049078.tif 000007
【図６】
2018049078.tif 000008
【図７】
2018049078.tif 000009
【図８】
2018049078.tif 000010